(57)【要約】【課題】カバーで覆わなくても、傷つきを抑制することのできるランドセルを提供する。【解決手段】上部に開口３ａを有する収容部３と、前記収容部３に連結された背負いベルト４と、前記収容部３の開口３ａに被さるとともに、収容部３の底部近傍まで延設される蓋部５と、前記蓋部５の下端を前記収容部３に留め付ける連結ベルト６とを備えたランドセル本体２の外表面に、立体物７が部分的に取り付けられている。また、立体物７のランドセル本体２に接触する部分が、ランドセル本体２の外表面と同等又はそれよりも軟質な材質からなる。【選択図】図１
2018108305.tif 000002
【特許請求の範囲】
【請求項１】
上端に開口を有する収容部と、
前記収容部に連結された背負いベルトと、
前記収容部の開口に被さるとともに、収容部の底部近傍まで延設された蓋部と、
前記蓋部の下端を前記収容部に留め付ける連結ベルトと、
を備えたランドセル本体の外表面に、立体物が部分的に取り付けられていることを特徴とするランドセル。
【請求項２】
前記立体物のランドセル本体に接触する部分が、ランドセル本体の外表面と同等又はそれよりも軟質な材質からなる、請求項１記載のランドセル。
【請求項３】
前記立体物がクッション性を有する、請求項１又は２記載のランドセル。
【請求項４】
前記立体物が、可撓性を有するシート材を湾曲させることで構成されている、請求項３記載のランドセル。
【請求項５】
前記立体物が着脱可能である、請求項１から４のいずれかに記載のランドセル。
【請求項６】
前記立体物が、前記蓋部、収容部及び背負いベルトの少なくともいずれかに取り付けられている、請求項１から５のいずれかに記載のランドセル。
【請求項７】
前記立体物が、前記蓋部と前記連結ベルトとの連結部に取り付けられている、請求項１から６のいずれかに記載のランドセル。
【請求項８】
前記連結ベルトが、ハトメ鋲によって前記蓋部に連結されており、ハトメ鋲の孔を利用して立体物が取り付けられている、請求項７記載のランドセル。
【発明の詳細な説明】
【技術分野】
【０００１】
この発明は、外表面に立体物を取り付けてなるランドセルに関する。
【背景技術】
【０００２】
ランドセルの外表面には、通常、天然皮革や合成皮革、人工皮革などの比較的柔らかい素材のものが使用されている。そのため、長期間使用していると傷が目立ってくることがある。そこで従来から、特に傷つき易い蓋部をカバーで覆うことが広く行われている（例えば特許文献１参照）。
【先行技術文献】
【特許文献】
【０００３】
【特許文献１】特開２０１４−１１０８３５号公報
【発明の概要】
【発明が解決しようとする課題】
【０００４】
ところで近年のランドセルは、高級志向の高まりから素材自体にこだわっているものも多い。これに対してカバーは定期的な交換を前提とするものであって、通常、薄手の合成樹脂シートや布などの比較的安価な素材を使用しているものが多く、ランドセルの素材と相応していると必ずしもいえないことがある。また最近では、外表面に装飾を施したランドセルも登場してきているが、カバーを取り付けると折角の装飾が見えなくなってしまう。
【０００５】
そこで、カバーで覆わなくても外表面の傷つきを抑制することのできるランドセルの提供を目的とする。
【課題を解決するための手段】
【０００６】
本発明のランドセルは、上部に開口を有する収容部と、前記収容部に連結された背負いベルトと、前記収容部の開口に被さるとともに、収容部の底部近傍まで延設された蓋部と、前記蓋部の下端を前記収容部に留め付ける連結ベルトとを備えたランドセル本体の外表面に、立体物が部分的に取り付けられていることを特徴としている。
【０００７】
前記立体物のランドセル本体に接触する部分が、ランドセル本体の外表面と同等又はそれよりも軟質な材質からなることが好ましい。また、前記立体物がクッション性を有することが好ましい。前記立体物が、可撓性を有するシート材を湾曲させることで構成されていることが好ましい。前記立体物が着脱可能であることが好ましい。
【０００８】
前記立体物が、前記蓋部、収容部及び背負いベルトの少なくともいずれかに取り付けられていることが好ましい。また、前記立体物が、蓋部と連結ベルトとの連結部に取り付けられていることが好ましい。特に前記連結ベルトが、ハトメ鋲によって蓋部に連結されており、ハトメ鋲の孔を利用して立体物が取り付けられていることが好ましい。
【発明の効果】
【０００９】
本発明のランドセルは、ランドセル本体の外表面に立体物が部分的に取り付けられているため、使用者がランドセルを背負ったまま壁にもたれ掛かったり、ランドセルを床に置いたりしても、ランドセル本体と対象物との間に立体物が介在することとなり、ランドセル本体の傷つきを抑制する（立体物をランドセル本体の防傷具として利用する）ことができる。
【００１０】
また、立体物のランドセル本体に接触する部分が、ランドセル本体の外表面と同等又はそれよりも軟質な材質からなれば、立体物によってランドセル本体を傷つけることもない。立体物がクッション性を有していれば、衝撃を吸収することができる。立体物が可撓性を有するシート材を湾曲させることで構成されていれば、簡単な構成でクッション性を付与することができる。また、装飾性に富んだ形状とすることもできる。また、立体物が着脱可能であれば、必要に応じて取り付けたり取り外したりすることができる。また、立体物の交換もし易い。
【００１１】
立体物が蓋部、収容部及び背負いベルトの少なくともいずれかに取り付けられていれば、当該部分の傷つきを抑制することができる。また、立体物が、蓋部と連結ベルトとの連結部に取り付けられていれば、連結部を立体物によって隠すことができる。そのため、縫い目や鋲などを隠すことができ、見栄えが良い。連結ベルトが、ハトメ鋲によって蓋部に連結されており、ハトメ鋲の孔を利用して立体物が取り付けられていれば、立体物の取り付けや取外しが簡単である。また、立体物を取り付けるための孔などを別途、蓋部に設ける必要も無く、立体物を取り外した状態での見栄えも良い。
【図面の簡単な説明】
【００１２】
【図１】この発明の一実施形態に係るランドセルを示す斜視図である。
【図２】蓋部に立体物を取り付けた状態を示す平面図である。
【図３】蓋部への立体物の取り付け過程を示す断面図である。
【図４】蓋部に他の立体物を取り付けた状態を示す平面図である。
【図５】図４に示す立体物の斜視図である。
【図６】背負いベルトに立体物を取り付けた状態を示す斜視図である。
【図７】収容部の側板部に立体物を取り付けた状態を示す斜視図である。
【図８】他の立体物を示す図である。
【発明を実施するための形態】
【００１３】
次に、この発明のランドセルの一実施形態を図面に基づいて詳細に説明する。本発明のランドセル１は、図１に示すように、ランドセル本体２と、このランドセル本体２の外表面に取り付けられる立体物７とを備えている。
【００１４】
ランドセル本体２は、上部に開口３ａを有する収容部３と、収容部３に連結された背負いベルト４、４と、収容部３の開口３ａに被さるとともに、収容部３の底部近傍まで延設された蓋部５と、蓋部５の下端を収容部３の底部に着脱可能に留め付ける連結ベルト６（図２参照）とを備えている。
【００１５】
収容部３は箱状であって、ランドセル１を背負った際に背中側に位置する背板部と、この背板部と間隔を開けて対向する前板部と、背板部の側端と前板部の側端との間に介在する側板部と、底を塞ぐ底板部とから構成されており、内部に教科書などを収容するための空間が形成されている。各板部は、板状の芯材の表面を、天然皮革や合成皮革、人工皮革など（以下、単に皮革という）で覆うことで構成されている。なお背板部については、別途クッション材を入れても良い。
【００１６】
背負いベルト４は、その一端が、背板部の上部近傍に取り付けられた背鐶（図示しない）に連結され、他端が、底板部の中央近傍に取り付けられたダルマ鐶（図示しない）に連結されている。この背負いベルト４は、可撓性を有する芯材の表面を皮革で覆うことで構成されており、身体に沿って比較的自由に変形できるようになっている。
【００１７】
蓋部５は、その一端が背板部の上端に連結されている。そして、収容部３の開口３ａ及び前板部の外面を覆いながら、他端が底板部近傍まで延びている。この蓋部５は、背負いベルト４と同様に、可撓性を有する芯材の表面を皮革で覆うことで構成されており、収容部３に被せた状態では、収容部３の外形に沿って弧を描くように変形し、収容部３から離した状態（蓋を開けた状態）では、ほぼ平らな板状に変形する。
【００１８】
連結ベルト６は、図２に示すように略Ｙ字状であって、二股に分かれた上端側がそれぞれ蓋部５に連結されている。連結には縫い付けや鋲による固定など種々の方法が採られる。下端には、収容部３の底板部の中央近傍に取り付けられた錠前（図示しない）に着脱可能に留め付けるための掛止板６ａが設けられている。連結ベルト６についても可撓性を有しており、収容部３の外形に沿って適宜変形する。
【００１９】
立体物７は、可撓性を有するシート材を湾曲させたり、ヒダを形成する、すなわちクッション性を有するように立体形状とすることで構成されている。具体的には、図１及び図２に示すように、複数枚のシート材を湾曲させるとともにそれぞれ立設することで、バラやカーネーションなどの八重咲きの花を模した形状とされている。立体物７の厚みとしては十分な衝撃吸収性を得るために、例えば１ｃｍ以上とすることが好ましい。材質としては、蓋部５の表面を覆う皮革と同質で同色のものを使用することが好ましい。ただ、これに限らず、同質で異色のものを用いたり、異質で異色のものを用いても良い。例えば反射材であれば、ドライバーに注意を促すことができる。また、立体物７が蓋部５に接触した際の蓋部５への傷つきを抑制するために、少なくとも立体物７の蓋部５の表面と接触する部分は、蓋部５の表面と同等又はそれよりも軟質な材質を用いることが好ましい。
【００２０】
このような立体物７は、蓋部５の外面全体に取り付けられるのではなく、部分的に取り付けられる。本実施形態では、図１及び図２に示すように、蓋部５の中間部近傍と下端近傍の２箇所に取り付けられている。また、下端側の立体物７は、蓋部５と連結ベルト６との連結部に取り付けられている。取付に際しては、蓋部５と連結ベルト６とを連結するハトメ鋲８の孔８ａを利用している。また、雄ネジ９と雌ネジ１０とからなる取付具を介して取り付けている（図３参照）。
【００２１】
雌ネジ１０は、予め立体物７に取り付けておくものであって、雄ネジ９と螺合するための本体ネジ１１と、本体ネジ１１を立体物７に取り付けるための取付ネジ１２とからなる。本体ネジ１１は、雌ネジ部１１ａが形成された軸部１１ｂと、軸部１１ｂの上部から径外方向に延設されたフランジ部１１ｃとを有している。取付ネジ１２は、雌ネジ部１１ａに対応する雄ネジ部１２ａと、雄ネジ部１２ａの上端に設けられた円板状のネジ頭１２ｂとを有している。そして、取付ネジ１２の雄ネジ部１２ａを立体物７の内側から孔７ｃを介して外方に突出させるとともに、その突出した雄ネジ部１２ａに、本体ネジ１１の雌ネジ部１１ａを立体物７の外側から螺合させることで、ネジ頭１２ｂとフランジ部１１ｃとによって立体物７を挟持し、雌ネジ１０が立体物７に回転不可の状態で固定されている。なお、雌ネジ１０の立体物７への固定をより強固なものとするために、フランジ部１１ｃやネジ頭１２ｂの表面（立体物７に当接する面）に接着剤を塗布したり、粘着性の両面テープを貼り付けておいても良い。
【００２２】
立体物７の蓋部５の外面への取り付けは、雌ネジ１０の軸部１１ｂを、蓋部５の外面側からハトメ鋲８の孔８ａに挿通し、蓋部５の内面側（連結ベルト６の内面側）から、雄ネジ９の雄ネジ部９ａを雌ネジ部１１ａに螺合し、雌ネジ１０のネジ頭１２ｂと雄ネジ９のネジ頭９ｂとで蓋部５（及び連結ベルト６）を挟持する、又は、雄ネジ部９ａの全長を雌ネジ部１１ａに完全に螺合させることで行う。このような取り付け方法であれば、雄ネジ９を緩めるだけで簡単に立体物７を取り外すことができ、例えば破損時や汚染時に気軽に交換することができる。なお、ネジの緩みを抑制するため、雌ネジ１０を蓋部５に固定し、雄ネジ９を立体物７の内側に収容するようにしても良い。
【００２３】
立体物７の蓋部５への取付手段としては上記ネジによる螺合の他に、磁石や面ファスナーなどによって着脱可能に取り付けても良いし、鋲や接着剤などによって着脱不可に取り付けても良い。また、ネジ挿通用の孔や、対で使用する磁石、面ファスナーの一方を蓋部５に規則的に設けておき（並行配置、千鳥配置など）、好きな位置に立体物７を取り付けられるようにしても良い。
【００２４】
図４は、異なる形状の立体物７Ａを蓋部５に取り付けた状態を示したものである。この立体物７Ａはリボンを模したものであって、可撓性を有する帯状のシート材の両端を連結して扁平な環状に形成するとともに、長手方向の中心近傍を縛ることで構成されている。このように構成すれば、図５に示すように、リボンの両端に、可撓性を有するシート材を湾曲させてなるクッション部７ａが形成されることとなる。また、リボンの中心にもヒダ７ｂが形成され、この部分にもクッション性を持たせることができる。この立体物７Ａは、蓋部５の下端近傍であって、蓋部５と連結ベルト６との連結部に取り付けられている。そのため、連結部を覆い隠すことができることは勿論のこと、収容部３の開口３ａを開放した際、周囲の物に勢い良く衝突する可能性がある蓋部５の下端近傍を保護することができる。
なお、この立体物７Ａは、長手方向の両端部近傍が蓋部５に固定されている。このように２ヶ所以上で固定すれば、立体物７Ａの回転が拘束され、取付状態が安定する。なお、取り付け（固定）に際しては、孔８ａを用いての図３に示すネジによる螺合の他、種々の方法を採用し得る。
【００２５】
図６は、立体物７を背負いベルト４に部分的に取り付けた状態を示している。背負いベルト４は、通常、収容部３内の教科書等を取り出す際に下側に位置するため、載置面と擦れるなどして傷がつき易いが、このように背負いベルト４の前面に立体物７を取り付けることで、背負いベルト４と載置面との間に立体物７を位置させることができ、背負いベルト４の傷つきを抑制することができる。なお、取り付ける場所は特に限定されないが、背負った際に胸の高さに位置するようにすることが好ましい。取付に際しては、蓋部５への取り付けと同じように、ネジ留めや磁石、面ファスナーなど種々の方法で固定することができる。なお、ネジ留めするにあたって、ベルト長さを調節するためのベルト孔を利用すれば、新たに孔を開ける必要もない。また、ベルト孔の間隔と同じ間隔で孔４ａを上側に設けていけば、違和感無く孔を設けることができる。
【００２６】
図７は、立体物７を収容部３の側板部に部分的に取り付けた状態を示している。このように、収容部３の側面に立体物７を取り付けることで、収容部３の側面の傷つきを抑制することができる。立体物７は、上記ネジ留めや磁石、面ファスナーなど種々の方法で固定する。但し、ランドセルは、背負いベルト４を下にする置き方、蓋部５を下にする置き方、収容部３の底板部を下にする置き方のように複数の置き方が想定されるため、どのような置き方であっても所望の防傷効果が得られるよう、立体物７の位置が変わったり、めくれたりすることのない固定方法が好ましい。
【００２７】
以上に、この発明の実施形態について説明したが、この発明は上記実施形態に限定されるものではなく、この発明の範囲内で種々変更して実施することが可能である。例えば、上記実施形態では、立体物として、可撓性を有するシートを八重咲きの花やリボンの形状に構成したものを用いていたが、クッション性を高めるために、シート材の内側にスポンジやゴム、バネ、ジェル、綿、低反発素材などの弾性体を内包しても良い。また、シート材の材質としては皮革に限らず、織物地、網地、レース地、フェルト、不織布、紙などであっても良い。また必ずしもシート材を用いる必要は無く、立体的な形状とされたスポンジ、ゴム、低反発素材やこれらの積層物で立体物を構成しても良い。形状も八重咲きの花やリボンに限られること無く、図８ａ、図８ｂに示すように、ハート型や一重咲きの花を模したものであっても良い。さらに、綿を詰めたぬいぐるみ（図８ｃ参照）や、芯材の周りに毛皮を張り付けてなるポンポン（ボンボン：図８ｄ参照）を立体物として用いても良い。大きさについても種々採用し得る。なお、例えば蓋部５に取り付けるにあたって、蓋部５の幅と同等もしくはやや幅広の立体物を用いれば、蓋部５の縁部まで保護することができる。
また、取り付ける個数は１つに限られず、複数取り付けても良い。特に立体物同士を結ぶ仮想線によって多角形を描くように取り付けた場合、立体物が脚のように作用するため、ランドセル本体２が載置面に直接接することを防ぐことができ、高い防傷効果が期待できる。また、図８ｅに示すように、同一形状の立体物を複数並べた状態で取り付ければ、華やかさを演出することもできる。立体物を取り付ける位置は、前記蓋部、収容部及び背負いベルトのうちのいずれか１ヶ所ではなく、複数の位置に取り付けても良い。
【符号の説明】
【００２８】
１・・ランドセル
２・・ランドセル本体
３・・収容部
３ａ・・開口
４・・背負いベルト
５・・蓋部
６・・連結ベルト
６ａ・・掛止板
７、７Ａ・・立体物
７ａ・・クッション部
７ｂ・・ヒダ
７ｃ・・孔
８・・ハトメ鋲
８ａ・・孔
９・・雄ネジ
９ａ・・雄ネジ部
９ｂ・・ネジ頭
１０・・雌ネジ
１１・・本体ネジ
１１ａ・・雌ネジ部
１１ｂ・・軸部
１１ｃ・・フランジ部
１２・・取付ネジ
１２ａ・・雄ネジ部
１２ｂ・・ネジ頭
【図１】
2018108305.tif 000003
【図２】
2018108305.tif 000004
【図３】
2018108305.tif 000005
【図４】
2018108305.tif 000006
【図５】
2018108305.tif 000007
【図６】
2018108305.tif 000008
【図７】
2018108305.tif 000009
【図８】
2018108305.tif 000010